(57)【要約】カプセルハウジングと、レーザにより形成された孔を有する樹脂膜の減衰素子とを備えた音響変換器を提供する。
2008502180.tif 000002
【特許請求の範囲】
【請求項１】
カプセルハウジングと、
レーザにより形成された孔を有する樹脂膜の減衰素子とを備えたことを特徴とする音響変換器。
【請求項２】
前記樹脂膜は、ポリイミド膜であることを特徴とする請求項１に記載の音響変換器。
【請求項３】
前記樹脂膜は、音響変換器の減衰を調整するための孔を有することを特徴とする請求項１または２に記載の音響変換器。
【請求項４】
前記樹脂膜は、高熱のスタンピングパンチ（stamping punch）を用いて前記カプセルハウジングに溶接されることを特徴とする請求項１ないし３のいずれか１つに記載の音響変換器。
【請求項５】
前記樹脂膜は、溶剤を用いて前記カプセルハウジングに結合されることを特徴とする請求項１ないし３のいずれか１つに記載の音響変換器。
【請求項６】
前記樹脂膜は、前記カプセルハウジング上に接着されることを特徴とする請求項１ないし３のいずれか１つに記載の音響変換器。
【請求項７】
前記樹脂膜は、前記カプセルハウジング内または前記カプセルハウジング上に押し付けられることを特徴とする請求項１ないし３のいずれか１つに記載の音響変換器。
【発明の詳細な説明】
【技術分野】
【０００１】
本発明は、音響変換器に関する。
【背景技術】
【０００２】
音響変換器の場合、特にその指向性を、減衰素子を用いて調整することができる。これまで、その種の減衰素子は、減衰シルク（silks）、例えば織物から製造されていた。しかしながら、織物には、大きな偏り（deviation）が織物の約１０％〜５０％の部分で起こり得るという欠点がある。さらに、織物は取り扱いが非常に難しいので、多くの場合その処理工程の自動化が不可能であり、その種の音響変換器の処理を手動で行わねばならなかった。
【０００３】
さらに、高級なマイクを必要とする状況においては、減衰シルク内の減衰値の高い分散度は、音響変換器毎に減衰動作の手動調整が必要であることを意味する。
【０００４】
特許文献１は電気力学スピーカを開示し、特許文献２は電気音響変換器のための振動板を開示する。
【０００５】
特許文献３は、電気音響変換器のための振動板を開示する。それでは、電気音響コンポーネントはフレームハウジング内に配置される。電気音響変換器の振動板は、ハニカム構造のコアとともに第１及び第２の外層を有する。ハニカムコアは、第１と第２の外層の間のサンドイッチ構造内に配置される。薄い減衰層は、外層とコアの間に配置される。
【０００６】
特許文献４は、音響変換器のための樹脂封止を開示する。カプセルのハウジングは樹脂材料から射出成形される。カプセルが射出成形されるとき、樹脂材料は、減衰素子上にまたは減衰素子の周りに注入される。
【０００７】
【特許文献１】独国特許出願公開第３５２１８４５号明細書
【特許文献２】独国特許出願公開第２８５１７４５号明細書
【特許文献３】独国特許出願公開第２９３７９２６号明細書
【特許文献４】独国特許出願公開第１９８３１７７１号明細書
【発明の開示】
【発明が解決しようとする課題】
【０００８】
従って、本発明の目的は、自動処理工程において、指向性の調整が可能となるように音響変換器の製造を改善することである。
【課題を解決するための手段】
【０００９】
上記目的は、請求項１に記載の音響変換器によって達成される。
【００１０】
従って、カプセルハウジングと、樹脂膜の減衰素子とを備えた音響変換器を提供する。
【００１１】
減衰素子内の減衰値の分散度を、実質的に一定の厚さの樹脂膜によって、実質的に減少させることができる。さらに、樹脂膜は、組立工程において減衰シルクより大幅に扱いやすい。
【００１２】
本発明の１つの態様によれば、樹脂膜は、ポリイミド膜である。ポリイミドは、高い内部減衰レベルを有する点で、利点があることが証明された。すなわち、高調波は膜から出力されない。
【００１３】
本発明のさらなる態様によれば、樹脂膜は、所定位置に所定の数の孔を含み、それによって、減衰素子の減衰を適切に調整する。
【００１４】
本発明のさらなる態様によれば、孔をレーザにより樹脂膜内に形成する。正確な口径または正確な孔を、レーザを用いて樹脂膜内に形成することができる。
【００１５】
本発明のさらなる態様によれば、樹脂膜は、高熱のシーリングパンチ（sealing punch）を用いて、カプセルハウジング上に溶接される。
【００１６】
本発明のさらなる態様によれば、樹脂膜は、溶剤を用いて、カプセルハウジングに結合される。
【００１７】
本発明のさらなる態様によれば、樹脂膜は、両面接着テープ（double-sided adhesive strip）により、カプセルハウジング上に接着される。これは、特に手動組立について欠点のない整然とした解決方法である。
【００１８】
本発明のさらなる態様によれば、樹脂膜は、カプセルハウジング内に押し付けられる。
【００１９】
本発明のさらなる構成は、従属請求項の主題である。
【発明を実施するための最良の形態】
【００２０】
本発明について、図を参照してより詳細に説明する。
【００２１】
図１に示す樹脂膜は、減衰シルクの代わりに、例えばマイク、スピーカまたはヘッドホンカプセル等の音響変換器の減衰を調節するため使用される。樹脂膜を、対応する所望の形状（correspondingly desired geometry）に形成することができる。そのために、孔は、実際に必要とされる、膜の位置においてのみ設けられる。所望の孔または減衰素子を、例えばエキシマレーザまたはウォータジェットにより、形成することができる。しかしながら、レーザを使用することは、所望の減衰素子または孔を、正確かつ迅速に樹脂膜内に形成することができるので、有利である。
【００２２】
例えばカプトン（Kapton）等のポリイミド膜は、高い内部減衰レベルを有するので、樹脂膜として適しており、それはその膜で高調波を防ぐために好ましい。ポリイミド膜のさらなる利点は、それらが非常に堅いことであり、そのことは、特に樹脂膜を形成する際に、肯定的な意味で顕著な利点となる。またさらに、非常に堅い樹脂膜は自動組立工程においてよりよく処理でき、それはコストダウンに貢献する。
【００２３】
カプセルハウジングに膜を取り付けるために、種々の工程が可能である。膜を、カプセルハウジング上に高熱のスタンピングパンチ（stamping punch）により溶接することができる。または、膜を溶剤を用いてカプセルハウジングの樹脂ハウジングに結合できる。カプセルハウジングに膜を取り付けるための別の形成工程は、膜をハウジング上に接着することができる両面接着テープを使用することである。これは、欠点のない整然とした解決方法であるので、特に手動組立にとって有利である。カプセルハウジングに膜を取り付けるための別の手段は、ハウジング内またはハウジング上に膜を押し付けることを含む。
【００２４】
音響変換器の周波数特性は、特にレーザによる、膜の孔の配置の正確な選択およびその正確な口径に影響され得る。その点において、適当な樹脂膜と種々の音圧を有するヘッドホンカプセルの場合、特に音の強さの効果を達成し得る。
【図面の簡単な説明】
【００２５】
【図１】本発明による減衰素子の平面図
【図１】
2008502180.tif 000003
【国際調査報告】
2008502180.tif 000004
2008502180.tif 000005
2008502180.tif 000006
2008502180.tif 000007
2008502180.tif 000008
2008502180.tif 000009